(57)【特許請求の範囲】
【請求項１】
汚泥を貯留する汚泥貯槽のブロー配管と、前記汚泥を吸引するプロベスターのホースの吸引口との間に取り付けられる汚泥排出配管装置であって、
前記ブロー配管と前記吸引口とを連結する筒状部材と、
前記筒状部材に水を供給するために前記筒状部材に設けられた給水配管と、を備え、
前記汚泥を排出するとともに前記筒状部材に水が流されて前記ホースの中に残留する汚泥を流す、
ことを特徴とする汚泥排出配管装置。
【請求項２】
前記筒状部材は、
前記ブロー配管に取り付けられる筒状の配管接続部と、
前記配管接続部に対して直列に連結され、前記吸引口に取り付けられる筒状の吸引口接続部と、を備え、
前記配管接続部には、前記給水配管が設けられている、
ことを特徴とする請求項１に記載の汚泥排出配管装置。
【請求項３】
前記給水配管は、
前記筒状部材への給水を制御する給水バルブを備えた、
ことを特徴とする請求項１または２のいずれか１項に記載の汚泥排出配管装置。
【発明の詳細な説明】
【技術分野】
【０００１】
この発明は、汚泥を貯留する汚泥貯槽から、プロベスターにより汚泥を排出する際に用いられる汚泥排出配管装置に関する。
【背景技術】
【０００２】
例えば、石炭火力発電所で使用される石炭を貯留するための貯炭場には、雨水が石炭に接触することにより発生するヤード排水を処理することにより汚泥が発生するので、この汚泥を貯留するための汚泥貯槽が設けられている。この汚泥貯槽から汚泥を排出する方法として、例えば、図５に示すようなブロー配管１００から排出する方法と、図６に示すように汚泥を吸引する装置であるプロベスターのホース３を汚泥貯槽２の上部開口から挿入して排出する方法とがあった。しかし、それぞれ以下のような課題があった。
【０００３】
図５は、汚泥貯槽２に配設されたブロー配管１００を示す斜視図である。このブロー配管１００は、汚泥貯槽２から汚泥を排出するために設けられた排出口にバルブを設置したものであり、主として汚泥貯槽２との接続部１１０と、汚泥が流される本体部１２０と、バルブ装置１３０と、バルブ装置１３０の開／閉を制御するハンドル１４０とにより構成され、本体部１２０にはプロベスターのホース３が取り付けられている。
【０００４】
このブロー配管１００から汚泥貯槽２内の汚泥を排出する場合、ハンドル１４０を回転してバルブ装置１３０を開くと、汚泥貯槽２内に貯留されている汚泥及び水の自重によって、汚泥貯槽２内の汚泥が水とともに接続部１１０から本体部１２０を経由してホース３へ流される。しかし、汚泥は水に比べて比重が重いので、ホース３へ流されてもホース３の中に残留することが多かった。汚泥が残留した状態でホース３を外すと、残留した汚泥が周囲に飛び散ってしまい、環境汚染につながるため、このブロー配管１００は実用的ではなく、実際にはあまり使用されていなかった。
【０００５】
図６は、汚泥貯槽２の上部開口からホース３を挿入した状態を示す断面図である。このように、汚泥貯槽２の上部開口にホース３を挿入し、ホース３から汚泥を吸引して排出する場合、汚泥貯槽２の中に作業員Ｍが入り、ブラシＢのような道具を使用して汚泥をホース３の吸引口付近まで誘導する必要があった。そのため、作業員Ｍが転倒するおそれがあり、また、作業員Ｍが手作業で汚泥を誘導するため、作業に時間がかかっていた。
【０００６】
このように、作業員Ｍが汚泥貯槽２の中に入って汚泥を排出する場合、作業員Ｍが作業しやすいように、移動可能な台車の前部に堆積物（例えば、砂、土、ごみ等）を切り崩すカッターを設け、台車の後部に切り崩した堆積物を吸引する吸引口を設けた堆積物の除去装置が知られている（例えば、特許文献１参照。）。この堆積物の除去装置は、作業員Ｍが台車を押しながら堆積物を切り崩し、吸引口から堆積物を吸引することにより、簡単に堆積物の除去作業を行えるようにした装置である。
【先行技術文献】
【特許文献】
【０００７】
【特許文献１】特開平１１−３３５１１号公報
【発明の概要】
【発明が解決しようとする課題】
【０００８】
しかしながら、特許文献１に記載の堆積物の除去装置であっても、汚泥がホース３の中に残留することがあり、ホース３の中に残留する汚泥を確実に吸引させることは困難であった。
【０００９】
そこでこの発明は、プロベスターのホース内に残留する汚泥を確実に吸引して排出させることを可能にする汚泥排出配管装置を提供することを目的とする。
【課題を解決するための手段】
【００１０】
上記課題を解決するために、請求項１の発明は、汚泥を貯留する汚泥貯槽のブロー配管と、前記汚泥を吸引するプロベスターのホースの吸引口との間に取り付けられる汚泥排出配管装置であって、前記ブロー配管と前記吸引口とを連結する筒状部材と、前記筒状部材に水を供給するために前記筒状部材に設けられた給水配管と、を備え、前記汚泥を排出するとともに前記筒状部材に水が流されて前記ホースの中に残留する汚泥を流す、ことを特徴とする。
【００１１】
請求項２の発明は、請求項１に記載の汚泥排出配管装置において、前記筒状部材は、前記ブロー配管に取り付けられる筒状の配管接続部と、前記配管接続部に対して直列に連結され、前記吸引口に取り付けられる筒状の吸引口接続部と、を備え、前記配管接続部には、前記給水配管が設けられている、ことを特徴とする。
【００１２】
請求項３の発明は、請求項１または２のいずれか１項に記載の汚泥排出配管装置において、前記給水配管は、前記筒状部材への給水を制御する給水バルブを備えた、ことを特徴とする。
【発明の効果】
【００１３】
請求項１の発明によれば、ブロー配管と吸引口とを連結する筒状部材に、水を供給するための給水配管を設けたことにより、ホース内に汚泥が残留した状態であっても、給水配管から水を流すことにより、プロベスターによって流された水とともにホース内に残留している汚泥が吸引されるので、ホース内に残留する汚泥を確実にプロベスターに吸引させて排出させることが可能になる。
【００１４】
請求項２の発明によれば、筒状部材は、ブロー配管に取り付けられる筒状の配管接続部と、配管接続部に対して直列に連結されて吸引口に取り付けられる筒状の吸引口接続部と、を備えたことにより、筒状部材を２つの部材に分割可能にすることで加工しやすく、運搬しやすくするとともに、プロベスターのホースの大きさに合わせて吸引口接続部を交換することが可能になる。
【００１５】
請求項３の発明によれば、給水配管に筒状部材への給水を制御する給水バルブを設けたので、ホース内に残留する汚泥の量にあわせて適切な流量の水をホースに流すことを可能にする。
【図面の簡単な説明】
【００１６】
【図１】この発明の実施の形態に係る汚泥排出配管装置１が汚泥貯槽２に取り付けられた状態を示す斜視図である。
【図２】図１の汚泥排出配管装置１の外観を示す斜視図である。
【図３】図２の配管接続部１０の外観を示す斜視図である。
【図４】図２の吸引口接続部２０の外観を示す斜視図である。
【図５】従来例の汚泥貯槽２に配設されたブロー配管１００を示す斜視図である。
【図６】従来例の汚泥貯槽２の上部開口からホース３を挿入した状態を示す断面図である。
【発明を実施するための形態】
【００１７】
以下、この発明を図示の実施の形態に基づいて説明する。
【００１８】
図１ないし図４は、この発明の実施の形態に係る汚泥排出配管装置１を示している。図１は、汚泥排出配管装置１が汚泥貯槽２に取り付けられた状態を示す斜視図であり、図２は、図１の汚泥排出配管装置１の外観を示す斜視図であり、図３は、図２の配管接続部１０の外観を示す斜視図であり、図４は、図２の吸引口接続部２０の外観を示す斜視図である。この汚泥排出配管装置１は、図１に示すように、汚泥貯槽２のブロー配管１００とホース３との間に取り付けられ、汚泥貯槽２内の汚泥を排出するとともに、水が流されてホース３の中に残留する汚泥を流す装置であり、図２に示すように、主として配管接続部（筒状部材）１０と、吸引口接続部（筒状部材）２０と、給水配管３０とを備えている。この汚泥排出配管装置１は、例えば、配管用炭素鋼により形成されている。なお、図１に示す汚泥貯槽２のブロー配管１００は、図５に示すブロー配管１００と同様に構成されている。
【００１９】
配管接続部１０は、ブロー配管１００の本体部１２０に取り付けられて汚泥を流すための部材であり、筒状でブロー配管１００に連結される開口部と、後述する吸引口接続部２０に連結される開口部とが円板状に形成されている。この配管接続部１０は、図３に示すように、主として配管連結部１１と、本体部１２と、下流連結部１３とを備えている。
【００２０】
配管連結部１１は、本体部１２０との連結箇所であり、円板状で中心に汚泥が流れる孔が形成され、本体部１２０に連結した際にボルトで固定できるようにネジ孔Ｈが円板上に数箇所（例えば、６箇所）形成されている。本体部１２は、汚泥が流される箇所であり、配管連結部１１の中心の孔から延設されて略円筒状に形成されている。下流連結部１３は、吸引口接続部２０との連結箇所であり、配管連結部１１と略同様の形状に形成され、吸引口接続部２０に連結した際にボルトで固定できるようにネジ孔Ｈが円板上に数箇所（例えば、６箇所）形成されている。
【００２１】
吸引口接続部２０は、配管接続部１０の下流連結部１３に直列に連結され、ホース３の吸引口に取り付けられて汚泥を流すための部材であり、下流連結部１３に連結される開口部が円板状に形成され、汚泥が流される箇所が略円錐形の筒状でホース３の吸引口側が細くなるように形成されている。この吸引口接続部２０は、図４に示すように、主として上流連結部２１と、本体部２２とを備えている。
【００２２】
上流連結部２１は、下流連結部１３との連結箇所であり、下流連結部１３と略同様の形状に形成され、下流連結部１３に連結した際にボルトで固定できるようにネジ孔Ｈが円板上に数箇所（例えば、６箇所）形成されている。本体部２２は、汚泥が流される箇所であり、上流連結部２１の中心の孔から延設されて略円錐形の筒状でホース３の吸引口側が細くなるように形成されている。
【００２３】
給水配管３０は、配管接続部１０及び吸引口接続部２０に水を供給するための配管であり、配管接続部１０の本体部１２から略垂直方向に設けられ、略円筒状で略Ｌ字型に屈折するように形成されている。この給水配管３０は、図３に示すように、主として下流側配管部３１と、給水バルブ３２と、レバー３３と、上流側配管部３４とを備えている。
【００２４】
下流側配管部３１は、配管接続部１０へ水を流すための配管であり、本体部１２から略垂直方向に設けられて略円筒状に形成されている。給水バルブ３２は、上流側配管部３４から流される水の流れを制御を行う装置である。レバー３３は、給水バルブ３２の開／閉を制御する装置である。上流側配管部３４は、給水用の水道管に接続されて下流側配管部３１へ水を流すための配管であり、下流側配管部３１から略Ｌ字型に屈折して延設されて略円筒状に形成されている。
【００２５】
次に、このような汚泥排出配管装置１の使用例等について、以下に説明する。
【００２６】
汚泥貯槽２内に貯留されている汚泥を、ブロー配管１００からプロベスターを使用して排出する場合の例を説明する。まず、汚泥貯槽２に配設されたブロー配管１００の本体部１２０に、配管接続部１０の配管連結部１１を連結し、ネジ孔Ｈにボルトを挿入してナットにて固定する。配管接続部１０の下流連結部１３に、吸引口接続部２０の上流連結部２１を連結し、ネジ孔Ｈにボルトを挿入してナットにて固定する。さらに、吸引口接続部２０の本体部２２に、プロベスターのホース３の吸引口を取り付けると、図１のような状態になる。
【００２７】
この状態で、プロベスターを稼働させ、ブロー配管１００のハンドル１４０を回転させてバルブ装置１３０を開くと、汚泥貯槽２内に貯留されている汚泥及び水が、自重によりブロー配管１００の接続部１１０から流れてくる。この汚泥及び水は、ブロー配管１００の本体部１２０から配管接続部１０の配管連結部１１へ流れ、本体部１２を経由して下流連結部１３へ流れる。そして、吸引口接続部２０の上流連結部２１へ流れ、本体部２２を経由してホース３へ流れる。その後、汚泥及び水は、プロベスターにより吸引される。
【００２８】
このとき、ホース３内に汚泥が残留することがある。そのため、この状態から、給水配管３０の上流側配管部３４に給水用の水道管を接続して、上流側配管部３４に水を流し、レバー３３を操作して給水バルブ３２を開く。すると、この水は、給水配管３０の下流側配管部３１から配管接続部１０の本体部１２へ流れ、上述の汚泥と同様に下流連結部１３、吸引口接続部２０の上流連結部２１、本体部２２を経由してホース３へ流れ、プロベスターにより吸引される。この水の流れにより、ホース３内に残留していた汚泥も一緒にプロベスターへ流されて吸引される。
【００２９】
このように、この汚泥排出配管装置１によれば、給水配管３０を設け、上流側配管部３４に給水用の水道管を接続し、配管接続部１０の本体部１２から下流連結部１３、吸引口接続部２０の上流連結部２１、本体部２２を経由してホース３へ水を流すことにより、ホース３内に残留していた汚泥も一緒にプロベスターへ流されて吸引されるので、ホース３内に残留する汚泥を確実にプリベスターに吸引させて排出させることが可能になる。
【００３０】
また、配管接続部１０と吸引口接続部２０との２つの部材により筒状部材を構成したので、加工しやすく、運搬しやすくするとともに、プロベスターのホース３の大きさに合わせて吸引口接続部２０を別の部材と交換することが可能になる。さらに、給水バルブ３２とレバー３３とを設けたことにより、ホース３内に残留していた汚泥の量に合わせて適切な流量の水をホース３内に流すことが可能になる。
【００３１】
以上、この発明の実施の形態について説明したが、具体的な構成は、上記の実施の形態に限られるものではなく、この発明の要旨を逸脱しない範囲の設計の変更等があっても、この発明に含まれる。例えば、上述した実施の形態では、配管接続部１０と吸引口接続部２０との２つの部材により筒状部材を構成したが、１つの部材により構成しても良い。これにより、配管接続部１０と吸引口接続部２０との間からの水漏れを防止することができる。
【００３２】
また、上述した実施の形態では、給水配管３０に給水バルブ３２とレバー３３とを設ける構成としたが、他の給水手段を用いても良く、例えば、汚泥貯槽２が設けられている施設内で発生する廃水を流すように構成しても良い。
【符号の説明】
【００３３】
１                      汚泥排出配管装置
２                      汚泥貯槽
３                      ホース
１０                    配管接続部（筒状部材）
１１                    配管連結部
１２                    本体部
１３                    下流連結部
２０                    吸引口接続部（筒状部材）
２１                    上流連結部
２２                    本体部
３０                    給水配管
３１                    下流側配管部
３２                    給水バルブ
３３                    レバー
３４                    上流側配管部
１００                  ブロー配管
１１０                  接続部
１２０                  本体部
１３０                  バルブ装置
１４０                  ハンドル
Ｂ                      ブラシ
Ｈ                      ネジ孔
Ｍ                      作業員
【図１】
0006662170.tif 000002
【図２】
0006662170.tif 000003
【図３】
0006662170.tif 000004
【図４】
0006662170.tif 000005
【図５】
0006662170.tif 000006
【図６】
0006662170.tif 000007